(57)【特許請求の範囲】
【請求項１】
表示画面に所定の画像を表示する表示手段と、
前記所定の画像の指定位置に重畳して表示される重畳用画像を代表する各画素と、当該所定の画像における前記重畳用画像との境目部の各画素との画素値の差に基づく類似度を算出する算出手段と、
この算出手段により算出された前記類似度が所定値以上であるか否かを判定する判定手段と、
この判定手段により前記類似度が所定値以上であると判定された場合は、前記指定位置を、前記重畳用画像の表示位置に決定する決定手段と、
を備え、
前記重畳用画像を代表する各画素は、当該重畳用画像の縁部の画素であって、
前記算出手段は、
前記境目部の各画素のうち、隣接する前記重畳用画像の縁部の各画素の画素値との差が所定値以下である画素の割合を、前記類似度として算出する、
ことを特徴とする画像表示装置。
【請求項２】
前記決定手段は、
前記判定手段により前記類似度が所定値以上でないと判定された場合に、前記類似度が所定値以上でないと判定される前記所定の画像上の位置に、前記重畳用画像の表示位置を前記指定位置から変更して決定することを特徴とする請求項１に記載の画像表示装置。
【請求項３】
前記指定位置は所定の基準位置であって、
前記決定手段は、
前記判定手段により前記類似度が所定値以上であると判定された場合に、前記重畳用画像の中心部を前記所定の基準位置から所定方向に所定の距離移動させるようにして、前記類似度が所定値以上でないと判定される前記所定の画像における当該重畳用画像の表示位置の候補位置を決定する候補決定手段を有し、
当該候補決定手段により決定された前記重畳用画像の表示位置の候補位置の中から、前記所定の画像における前記重畳用画像の表示位置を決定することを特徴とする請求項１又は２に記載の画像表示装置。
【請求項４】
前記候補決定手段は、
前記所定の画像における前記重畳用画像を代表する各画素の画素値と異なる画素値の領域に当該重畳用画像の中心部が存するように、当該重畳用画像の表示位置の候補位置を決定することを特徴とする請求項３に記載の画像表示装置。
【請求項５】
前記重畳用画像は、現在の時刻を表示する時計表示画像であることを特徴とする請求項１〜４の何れか一項に記載の画像表示装置。
【請求項６】
表示画面に所定の画像を表示する表示手段を備える画像表示装置を用いた画像表示方法であって、
前記所定の画像の指定位置に重畳して表示される重畳用画像を代表する各画素と、当該所定の画像における前記重畳用画像との境目部の各画素との画素値の差に基づく類似度を算出する算出ステップと、
この算出ステップにより算出された前記類似度が所定値以上であるか否かを判定する判定ステップと、
この判定ステップにより前記類似度が所定値以上であると判定された場合は、前記指定位置を、前記重畳用画像の表示位置に決定する決定ステップと、
を含み、
前記重畳用画像を代表する各画素は、当該重畳用画像の縁部の画素であって、
前記算出ステップは、
前記境目部の各画素のうち、隣接する前記重畳用画像の縁部の各画素の画素値との差が所定値以下である画素の割合を、前記類似度として算出する、
ことを特徴とする画像表示方法。
【請求項７】
表示画面に所定の画像を表示する表示手段を備える画像表示装置のコンピュータに、
前記所定の画像の指定位置に重畳して表示される重畳用画像を代表する各画素と、当該所定の画像における前記重畳用画像との境目部の各画素との画素値の差に基づく類似度を算出する算出機能、
この算出機能により算出された前記類似度が所定値以上であるか否かを判定する判定機能、
この判定機能により前記類似度が所定値以上であると判定された場合は、前記指定位置を、前記重畳用画像の表示位置に決定する決定機能、
を実現させ、
前記重畳用画像を代表する各画素は、当該重畳用画像の縁部の画素であって、
前記算出機能は、
前記境目部の各画素のうち、隣接する前記重畳用画像の縁部の各画素の画素値との差が所定値以下である画素の割合を、前記類似度として算出する、
ことを特徴とするプログラム。
【発明の詳細な説明】
【技術分野】
【０００１】
本発明は、画像表示装置、画像表示方法及びプログラムに関する。
【背景技術】
【０００２】
従来、所謂、デジタルフォトフレームなどの画像表示装置が知られている（例えば、特許文献１参照）。また、画像表示装置には、表示画面に表示される画像に現在の時刻を重畳して表示可能なものもある。
【先行技術文献】
【特許文献】
【０００３】
【特許文献１】特開２００９−４５１３９号公報
【発明の概要】
【発明が解決しようとする課題】
【０００４】
ところで、表示画面における現在の時刻の表示位置は、予め所定位置に指定されている場合があるが、例えば、夜景等の黒い背景領域の多い画像に黒色の時刻表示を重畳して表示するとき、時刻の表示が黒い背景領域と重なると同系色のために視認し難くなってしまう。
【０００５】
そこで、本発明の課題は、重畳用画像の視認性の低下を抑制することができる画像表示装置、画像表示方法及びプログラムを提供することにある。
【課題を解決するための手段】
【０００６】
上記課題を解決するため、本発明の画像表示装置は、
表示画面に所定の画像を表示する表示手段と、
前記所定の画像の指定位置に重畳して表示される重畳用画像を代表する各画素と、当該所定の画像における前記重畳用画像との境目部の各画素との画素値の差に基づく類似度を算出する算出手段と、
この算出手段により算出された前記類似度が所定値以上であるか否かを判定する判定手段と、
この判定手段により前記類似度が所定値以上であると判定された場合は、前記指定位置を、前記重畳用画像の表示位置に決定する決定手段と、
を備え、
前記重畳用画像を代表する各画素は、当該重畳用画像の縁部の画素であって、
前記算出手段は、
前記境目部の各画素のうち、隣接する前記重畳用画像の縁部の各画素の画素値との差が所定値以下である画素の割合を、前記類似度として算出する、
ことを特徴としている。
【０００７】
また、本発明の画像表示方法は、
表示画面に所定の画像を表示する表示手段を備える画像表示装置を用いた画像表示方法であって、
前記所定の画像の指定位置に重畳して表示される重畳用画像を代表する各画素と、当該所定の画像における前記重畳用画像との境目部の各画素との画素値の差に基づく類似度を算出する算出ステップと、
この算出ステップにより算出された前記類似度が所定値以上であるか否かを判定する判定ステップと、
この判定ステップにより前記類似度が所定値以上であると判定された場合は、前記指定位置を、前記重畳用画像の表示位置に決定する決定ステップと、
を含み、
前記重畳用画像を代表する各画素は、当該重畳用画像の縁部の画素であって、
前記算出ステップは、
前記境目部の各画素のうち、隣接する前記重畳用画像の縁部の各画素の画素値との差が所定値以下である画素の割合を、前記類似度として算出する、
ことを特徴としている。
【０００８】
また、本発明のプログラムは、
表示画面に所定の画像を表示する表示手段を備える画像表示装置のコンピュータに、
前記所定の画像の指定位置に重畳して表示される重畳用画像を代表する各画素と、当該所定の画像における前記重畳用画像との境目部の各画素との画素値の差に基づく類似度を算出する算出機能、
この算出機能により算出された前記類似度が所定値以上であるか否かを判定する判定機能、
この判定機能により前記類似度が所定値以上であると判定された場合は、前記指定位置を、前記重畳用画像の表示位置に決定する決定機能、
を実現させ、
前記重畳用画像を代表する各画素は、当該重畳用画像の縁部の画素であって、
前記算出機能は、
前記境目部の各画素のうち、隣接する前記重畳用画像の縁部の各画素の画素値との差が所定値以下である画素の割合を、前記類似度として算出する、
ことを特徴としている。
【発明の効果】
【０００９】
本発明によれば、所定の画像における重畳用画像の視認性の低下を抑制することができる。
【図面の簡単な説明】
【００１０】
【図１】本発明を適用した一実施形態の画像表示装置の概略構成を示すブロック図である。
【図２】図１の画像表示装置による画像表示処理に係る動作の一例を示すフローチャートである。
【図３】図２の画像表示処理における重畳位置決定処理に係る動作の一例を示すフローチャートである。
【図４】図２の画像表示処理に係る表示画像の一例を模式的に示す図である。
【図５】図２の画像表示処理に係る重畳用画像の一例を模式的に示す図である。
【図６】変形例１の画像表示装置の概略構成を示すブロック図である。
【図７】図６の画像表示装置による画像表示処理における重畳位置決定処理に係る動作の一例を示すフローチャートである。
【図８】図７の画像表示処理に係る表示画像の一例を模式的に示す図である。
【発明を実施するための形態】
【００１１】
以下に、本発明について、図面を用いて具体的な態様を説明する。ただし、発明の範囲は、図示例に限定されない。
図１は、本発明を適用した一実施形態の画像表示装置１００の概略構成を示すブロック図である。
【００１２】
本実施形態の画像表示装置１００は、表示部１の表示画面に表示される所定の表示画像Ｇ（図４（ａ）等参照）における、当該所定の表示画像Ｇに重畳して表示される重畳用画像Ｔ（図５（ａ）等参照）の色と異なる色の領域に、重畳用画像Ｔの表示位置を決定する。
具体的には、画像表示装置１００は、例えば、卓上に設置されるデジタルフォトフレーム等であり、図１に示すように、表示部１と、重畳位置決定部２と、計時部３と、メモリ４と、表示画像記録部５と、重畳用画像記録部６と、操作入力部７と、中央制御部８とを備えている。
【００１３】
表示部１は、表示パネル１ａと、表示制御部１ｂとを具備している。
表示パネル１ａとしては、例えば、表面にＲ（赤）、Ｇ（緑）、Ｂ（青）の色成分に対応するドットがマトリクス状に複数配列された略矩形状の液晶表示パネルや有機ＥＬ表示パネル（図示略）などが挙げられるが、これらに限られるものではない。
【００１４】
表示制御部１ｂは、表示画像記録部５に記録されている所定の表示用の画像の画像データを取得して、この画像データを表示パネル１ａの表示画面に表示させる。具体的には、表示制御部１ｂは、例えば、表示画像記録部５に記録されている複数の画像データの中からユーザによる操作入力部７の所定操作に基づいて選択された所望の画像データを表示画像記録部５から取得して、表示画面に表示させる。また、表示制御部１ｂは、例えば、表示画像記録部５に記録されている複数の画像データがユーザにより選択された場合には、これら複数の画像データを順次取得し、これら画像データを所定の間隔で切り替えて表示画面に表示する、所謂、スライドショー再生表示を行う。
【００１５】
なお、表示制御部１ｂは、例えば、表示画像記録部５の複数の画像データを格納する所定のフォルダがユーザにより選択された場合にも、当該所定のフォルダ内の複数の画像データの各々を順次取得して、これら画像データをスライドショー再生表示しても良い。
また、表示制御部１ｂは、例えば、表示画像記録部５に記憶されている一の動画像がユーザにより選択された場合には、当該動画像を構成する複数の画像フレームを所定の再生フレームレートで切り替えて動画像を再生表示しても良い。
また、表示制御部１ｂは、表示画像記録部５に記録されている複数の画像データの中から所定の選択基準（例えば、撮像日時や記録日時が最も新しい等）に従って自動的に選択された所定の画像データを表示画像記録部５から取得して、表示画面に表示させるようにしても良い。
このように、表示部１は、表示画面に所定の画像を表示する表示手段を構成している。
【００１６】
なお、表示制御部１ｂは、表示パネル１ａの画素（ドット）数と、当該表示パネル１ａに表示される所定の表示画像Ｇ（動画像における画像フレーム）の画素数とが一致しない場合には、表示画像の画像データを所定の倍率で縮小したり拡大することにより、表示パネル１ａの所定の表示領域（例えば、表示領域の略全面等）に当該表示画像を表示させるようにしても良い。
【００１７】
また、表示制御部１ｂは、重畳用画像記録部６に記録されている重畳用画像Ｔ（例えば、時刻表示画像）の画像データを取得して、この画像データを表示パネル１ａの表示画面に表示させる。具体的には、表示制御部１ｂは、表示画面に表示される表示画像に重畳して重畳用画像Ｔを表示させる。
ここで、重畳用画像Ｔの表示位置は、例えば、デフォルト状態では、表示画像（表示画面）における予め定められた所定の重畳基準位置（例えば、表示画面の何れか一の隅部近傍等）となっており、所定の重畳基準位置の中心座標が重畳用画像Ｔの中心座標と重なるようにして当該重畳用画像Ｔが表示される。また、後述する表示処理にて当該重畳用画像Ｔの表示位置が新たに決定された場合には、決定された位置に応じて当該重畳画像の表示位置が変更される。つまり、表示制御部１ｂは、決定された重畳用画像Ｔの表示位置にて、当該重畳用画像Ｔを表示画面に表示されている画像に重畳して表示する（後述）。
【００１８】
重畳位置決定部２は、第１算出部２ａと、判定部２ｂと、第１決定部２ｃとを具備している。
【００１９】
第１算出部２ａは、重畳用画像Ｔ（例えば、時計表示画像、天気予報表示画像、付箋紙表示画像等；後述）の色と、表示部１に表示される所定の表示画像Ｇの所定の重畳基準位置に重畳して表示される当該重畳用画像Ｔとの境目部の色との類似度を算出する。
ここで、所定の表示画像Ｇとは、表示部１に表示される一の静止画像であっても良いし、表示部１によるスライドショー再生表示に係る複数の静止画像の各々であっても良いし、一の動画像を構成する複数の画像フレームの各々であっても良い。
【００２０】
具体的には、第１算出部２ａは、画素値算出部ａ１と、類似画素特定部ａ２とを具備している。
画素値算出部ａ１は、ユーザによる操作入力部７の所定操作に基づいて中央制御部８により指定された重畳用画像Ｔ（例えば、時計表示画像等）の画像データを重畳用画像記録部６から取得し、当該画像データに基づいて重畳用画像Ｔを代表する各画素の画素値を算出する。具体的には、画素値算出部ａ１は、重畳用画像Ｔを代表する各画素として、例えば、重畳用画像Ｔの縁部を構成する各画素の輝度値を算出する。
ここで、各画素の輝度値とは、各画素のＲＧＢ値を所定の変換式に従って変換することで算出される輝度を表す値であり、例えば、ＹＵＶ色空間におけるＹ（輝度）の値などを適用することができる。
また、重畳用画像Ｔの縁部とは、例えば、重畳用画像Ｔが時計表示画像の場合、現在の時刻や日付や曜日等を表す文字、数字、記号などの情報表示に係る部分自体の外縁部であっても良いし、当該情報表示に係る部分を囲む枠画像の外縁部であっても良い。同様に、例えば、重畳用画像Ｔが天気予報表示画像の場合、現在の天気や温度等を表す文字、数字、記号、状態表示用のマークなどの情報表示に係る部分自体の外縁部であっても良いし、当該情報表示に係る部分を囲む枠画像の外縁部であっても良い。また、例えば、重畳用画像Ｔが付箋表示画像の場合、文字、数字、記号などの背景には所定の色の背景画像が表示されるのが一般的であるが、上記と同様に、文字、数字、記号などの情報表示に係る部分自体の外縁部であっても良いし、当該情報表示に係る部分の背景画像の外縁部であっても良い。
なお、重畳用画像Ｔの形態が、例えば、環状である場合や、内部に外縁とは独立して形成された内縁を有する場合には、重畳用画像Ｔの縁部に重畳用画像Ｔの内縁部を含んでも良いが、以下の説明では、特に内縁部と限定される場合を除き、重畳用画像Ｔの外縁部を縁部として説明するものとする。
【００２１】
また、画素値算出部ａ１は、ユーザによる操作入力部７の所定操作に基づいて中央制御部８により指定された所定の表示画像Ｇの画像データを表示画像記録部５から取得し、当該画像データ及び重畳用画像Ｔの画像データに基づいて、所定の表示画像Ｇにおける所定の重畳基準位置に重畳して表示される重畳用画像Ｔとの境目部の各画素の輝度値を算出する。即ち、画素値算出部ａ１は、表示部１に表示される所定の表示画像Ｇの所定の重畳基準位置に重畳用画像Ｔを重畳して表示すると想定した場合に（図４（ａ）参照）、当該所定の表示画像Ｇにおける重畳用画像Ｔとの境目部、即ち、重畳用画像Ｔの外縁部を構成する各画素Eaと隣接する部分の各画素Ebの輝度値を算出する。
なお、図４（ａ）は、画像表示装置１００の表示部１に所定の表示画像Ｇ及び重畳用画像Ｔが実際に表示された状態ではなく、所定の表示画像Ｇの所定の重畳基準位置に重畳用画像Ｔを重畳して表示すると想定した場合を模式的に表している。また、図４（ａ）及び図４（ｂ）にあっては、所定の表示画像Ｇとして、「月」や「ライトアップされているタワー」が撮像された夜景の画像を例示し、「月」や「ライトアップされているタワー」以外の領域を暗闇の部分としてドットを付して表している。また、重畳用画像Ｔとして例示する時計表示画像は、例えば、黒色で表示されるものとする。
【００２２】
ここで、所定の表示画像Ｇにおける重畳用画像Ｔの外縁部を構成する各画素Eaと隣接する部分の各画素Ebとは、正面視にて、重畳用画像Ｔの外縁部を構成する各画素Eaの上下左右の何れか一側に隣接して配置されている画素であって、当該重畳用画像Ｔの外縁部を構成する各画素Ea以外の画素のことを言う（図５（ａ）及び図５（ｂ）参照）。従って、重畳用画像Ｔの外縁部を構成する各画素Eaの上下左右の何れの一側にも隣接していない画素、即ち、各画素の左上、左下、右上、右下等の上下左右の何れの一側ともずれている画素は含まない。なお、各画素の位置は、例えば、所定位置を基準点とした場合のｘ軸方向及びｙ軸方向の座標（xa, ya）に基づいて判定する。
例えば、図５（ａ）に示すように、時計表示画像を重畳用画像Ｔとした場合、図５（ａ）の二点鎖線で囲まれた領域を拡大して図５（ｂ）に模式的に示すと、重畳用画像Ｔの重畳用画像Ｔの外縁部を構成する各画素を画素Ea、…として表し、当該重畳用画像Ｔを所定の表示画像Ｇに重畳した場合に画素Eaと隣接する部分の各画素を画素Eb、…として表す。
【００２３】
なお、表示パネル１ａの画素（ドット）数と、所定の表示画像Ｇ（動画像における画像フレーム）の画素数とが一致しないために、表示画像の画像データが所定の倍率で縮小されたり拡大される場合には、画素値算出部ａ１は、当該縮小処理や拡大処理後の画像データに基づいて、重畳用画像Ｔの外縁部を構成する各画素Eaと隣接する部分の各画素Ebを特定するものとする。また、かかる場合に、後述する重畳位置決定部２の他の処理でも縮小処理や拡大処理後の画像データを用いる点は、同様であるが、以下の説明では、表示パネル１ａの画素（ドット）数と所定の表示画像Ｇの画素数とは一致しているものとして説明する。
【００２４】
類似画素特定部ａ２は、所定の表示画像Ｇにおける重畳用画像Ｔとの境目部の各画素について、隣接する重畳用画像Ｔの画素の輝度値と類似する輝度値を有する画素を特定する。
即ち、類似画素特定部ａ２は、例えば、所定の表示画像Ｇにおける重畳用画像Ｔとの境目部の各画素Ebについて、その輝度値と隣接する重畳用画像Ｔの外縁部を構成する画素Eaの輝度値とを比較する。続けて、類似画素特定部ａ２は、これらの画素Ea,Ebの輝度値の差が所定範囲内の画素Ebを、同輝度の画素として特定する。具体的には、類似画素特定部ａ２は、例えば、輝度レベルを8bit（256段階）で表現した場合に、所定の表示画像Ｇにおける重畳用画像Ｔとの境目部の各画素Ebのうち、輝度値の差が±１０程度となる画素を同輝度の画素として特定する。
【００２５】
なお、所定の表示画像Ｇにおける重畳用画像Ｔとの境目部の画素Ebとして、重畳用画像Ｔの外縁部を構成する各画素Eaと隣接する部分の画素Ebを例示したが、これに限られるものではなく、例えば、重畳用画像Ｔの外縁部を構成する各画素Eaと隣接する画素Ebに加えて、重畳用画像Ｔ以外の画素であって、当該画素Ebに上下左右で隣合う画素や、当該隣合う画素にさらに上下左右で隣合う画素等を含んでも良い。この場合には、これらの画素を代表する輝度値（例えば、輝度値の平均値等）を重畳用画像Ｔとの境目部の各画素の輝度値として適用しても良い。
また、同様に、重畳用画像Ｔを代表する各画素として、重畳用画像Ｔの外縁部を構成する各画素Eaを例示したが、これに限られるものではなく、例えば、重畳用画像Ｔの外縁部を構成する各画素Eaに加えて、所定の表示画像Ｇ以外の画素であって、当該画素Eaに上下左右で隣合う画素や、当該隣合う画素にさらに上下左右で隣合う画素等を含んでも良い。この場合には、これらの画素を代表する輝度値（例えば、輝度値の平均値等）を重畳用画像Ｔを代表する各画素の輝度値として適用しても良い。
【００２６】
そして、第１算出部２ａは、重畳用画像Ｔの外縁部を構成する各画素Eaの輝度値と、所定の表示画像Ｇの所定の重畳基準位置に表示される当該重畳用画像Ｔとの境目部の各画素Ebの輝度値との類似度を算出する。
即ち、第１算出部２ａは、類似画素特定部ａ２による特定結果に基づいて、所定の表示画像Ｇの所定の重畳基準位置に表示される当該重畳用画像Ｔとの境目部の各画素Ebのうち、隣接する重畳用画像Ｔの外縁部を構成する各画素Eaの輝度値と類似する輝度値を有する画素Ebの割合を、類似度として算出する。具体的には、第１算出部２ａは、所定の表示画像Ｇにおける重畳用画像Ｔとの境目部の画素Ebの総数L、及び、類似画素特定部ａ２により特定された同輝度の画素の数mをそれぞれ算出し、境目部の画素Ebの総数Lにおける同輝度の画素の数mの割合m/Lを類似度として算出する。つまり、算出される境目部の画素Ebの総数Lにおける同輝度の画素の数mの割合m/Lの値が大きいほど、重畳用画像Ｔの外縁部の色と、所定の表示画像Ｇの当該重畳用画像Ｔとの境目部の色との類似度が大きくなる。
【００２７】
なお、重畳用画像Ｔの外縁部の色と、所定の表示画像Ｇの当該重畳用画像Ｔとの境目部の色との類似度を、例えば、輝度値を用いて算出するようにしたが、一例であってこれに限られるものではなく、これらの色どうしの類似度（相違度）を定量的に算出可能なものであれば適宜任意に変更可能である。
また、第１算出部２ａは、重畳用画像Ｔの外縁部の色に対して、所定の表示画像Ｇの当該重畳用画像Ｔとの境目部の色との類似度を算出するようにしたが、重畳用画像Ｔの色、即ち、重畳用画像Ｔを構成する各画素の平均色などの代表する色に対して、所定の表示画像Ｇの当該重畳用画像Ｔとの境目部の色との類似度を算出するようにしても良い。
このように、第１算出部２ａは、中央制御部８により指定された重畳用画像Ｔの色と、所定の表示画像Ｇの所定の基準位置に重畳して表示される重畳用画像Ｔとの境目部の色との類似度を算出する算出手段を構成している。
【００２８】
また、第１算出部２ａは、第１決定部２ｃの候補決定部ｃ１により重畳用画像Ｔの表示位置の候補位置が決定された場合には（後述）、重畳用画像Ｔの外縁部の色と、所定の表示画像Ｇにおける候補決定部ｃ１により決定された表示位置の候補位置に表示される重畳用画像Ｔとの境目部の色との類似度を再度算出する。即ち、第１算出部２ａは、第１決定部２ｃの候補決定部ｃ１により重畳用画像Ｔの表示位置の候補位置が決定される毎に、重畳用画像Ｔの外縁部の色と、所定の表示画像Ｇにおける候補決定部ｃ１により決定された表示位置の候補位置に表示される重畳用画像Ｔとの境目部の色との類似度を算出する。
なお、第１算出部２ａによる類似度の算出方法は、上記したものと同様であり、第１算出部２ａは、例えば、境目部の画素Ebの総数Lにおける同輝度の画素の数mの割合m/Lを、類似度として算出する。
【００２９】
判定部２ｂは、第１算出部２ａにより算出された類似度が所定値以上であるか否かを判定する。
具体的には、判定部２ｂは、第１算出部２ａにより算出された類似度、即ち、所定の表示画像Ｇにおける所定の重畳基準位置に表示される重畳用画像Ｔとの境目部の画素Ebの総数Lのうち、類似画素特定部ａ２により特定された同輝度の画素Ebの数mの割合m/Lが、所定値（例えば、０．２等）以上であるか否かを判定する。
なお、判定部２ｂによる類似度の判定基準となる所定値は、例えば、「０」に設定しても良く、この場合には、所定の表示画像Ｇにおける重畳用画像Ｔとの境目部の画素Ebのうち、一つでも同輝度の画素があると、判定部２ｂは、類似度が所定値以上と判定することとなる。
ここで、判定部２ｂは、第１算出部２ａにより算出された類似度が所定値以上であるか否かを判定する判定手段を構成している。
【００３０】
また、判定部２ｂは、第１決定部２ｃの候補決定部ｃ１により重畳用画像Ｔの表示位置の候補位置が決定された場合に（後述）、第１算出部２ａにより類似度が再度算出されると、当該類似度が所定値以上であるか否かを判定する。即ち、判定部２ｂは、第１算出部２ａにより類似度が算出される毎に、算出された類似度が所定値以上であるか否かを判定する。
なお、この場合には、判定部２ｂによる類似度の判定基準となる所定値は、毎回同じ値であっても良いし、その都度変更しても良い。即ち、例えば、判定回数の増加に従って判定基準となる所定値を次第に小さくしていくことで、判定基準を次第に厳しくして第１決定部２ｃによって類似度のより低い表示位置、つまり、重畳用画像Ｔを識別し易い表示位置を特定させるようにしても良い。また、判定回数の増加に従って判定基準となる所定値を次第に大きくしていくことで、判定基準を次第に緩くして第１決定部２ｃによる重畳用画像Ｔの表示位置の特定を迅速に行わせるようにしても良い。
【００３１】
第１決定部２ｃは、表示部１に表示される所定の表示画像Ｇにおける重畳用画像Ｔの表示位置を決定する。
即ち、第１決定部２ｃは、判定部２ｂにより類似度が所定値以上であると判定された場合に、所定の表示画像Ｇにおける重畳用画像Ｔの色と異なる色の領域に当該重畳用画像Ｔの表示位置を決定する。具体的には、第１決定部２ｃは、所定の表示画像Ｇにおける重畳用画像Ｔの表示位置の候補位置を決定する候補決定部ｃ１を具備しており、候補決定部ｃ１により決定された重畳用画像Ｔの表示位置の候補位置の中から、所定の表示画像Ｇにおける重畳用画像Ｔの表示位置を決定する。
【００３２】
候補決定部ｃ１は、判定部２ｂにより類似度が所定値以上であると判定された場合に、重畳用画像Ｔの中心部を所定の重畳基準位置から所定方向に所定の距離移動させるようにして所定の表示画像Ｇにおける当該重畳用画像Ｔの表示位置の候補位置を決定する。具体的には、候補決定部ｃ１は、所定の表示画像Ｇにおける重畳用画像Ｔの代表色と異なる色の位置に当該重畳用画像Ｔの中心部が存するように、当該重畳用画像Ｔの表示位置の候補位置を決定する。
例えば、候補決定部ｃ１は、先ず、所定の表示画像Ｇの全ての画素の輝度値、或いは当該所定の表示画像Ｇを複数の所定領域に分割して、各所定領域を代表する一の画素について輝度値を算出する。そして、候補決定部ｃ１は、算出された輝度値に基づいて、当該所定の表示画像Ｇを重畳用画像Ｔの外縁部を構成する画素Eaの輝度値の平均値と同輝度と判断される類似領域と、それ以外の非類似領域とに分ける。なお、類似領域と非類似領域との特定方法は、上述した類似画素特定部ａ２による特定方法と同様に、画素どうしの輝度値の差が所定範囲内の画素を、類似領域を構成する画素とし、それ以外の画素を非類似領域を構成する画素とするようにしても良い。
そして、候補決定部ｃ１は、重畳用画像Ｔの中心部（中心座標）を重畳基準位置から所定方向（例えば、右方向等）に移動させていき、重畳用画像Ｔの中心部が非類似領域に入ったところを当該重畳用画像Ｔの表示位置の候補位置とする。
【００３３】
ここで、候補決定部ｃ１は、判定部２ｂにより類似度が所定値以上であると判定された場合に、重畳用画像Ｔの中心部を所定の基準位置から所定方向に所定の距離移動させるようにして所定の画像における当該重畳用画像Ｔの表示位置の候補位置を決定する候補決定手段を構成している。
なお、所定の表示画像Ｇにおける重畳用画像Ｔの代表色と異なる色の位置の特定に、例えば、画素の輝度値を用いるようにしたが、一例であってこれに限られるものではなく、重畳用画像Ｔの代表色との類似度（相違度）を定量的に算出可能なものであれば適宜任意に変更可能である。また、重畳用画像Ｔの代表色として、外縁部の各画素の輝度値の平均値を例示したが、これに限られるものではなく、例えば、輝度値の中央値や最頻値を適用しても良い。さらに、例えば、当該重畳用画像Ｔ全体の画素の輝度値の平均値や中央値や最頻値などを重畳用画像Ｔの代表色として適用しても良い。
【００３４】
その後、第１算出部２ａは、重畳用画像Ｔの色と、所定の表示画像Ｇにおける候補決定部ｃ１により決定された表示位置の候補位置に表示される重畳用画像Ｔとの境目部の色との類似度を再度算出する。具体的には、第１算出部２ａは、上述したようにして、例えば、境目部の画素Ebの総数Lにおける同輝度の画素の数mの割合m/Lを、類似度として算出する。
続けて、判定部２ｂは、第１算出部２ａにより再度算出された類似度が所定値以上であるか否かを判定する。具体的には、判定部２ｂは、第１算出部２ａにより算出された類似度、即ち、所定の表示画像Ｇにおける重畳用画像Ｔとの境目部の画素Ebの総数Lのうち、類似画素特定部ａ２により特定された同輝度の画素の数mの割合m/Lが、所定値（例えば、０．２等）以上であるか否かを判定する。
第１決定部２ｃは、判定部２ｂによる判定の結果、類似度が所定値以上でないと判定される候補位置を、所定の表示画像Ｇにおける重畳用画像Ｔの外縁部の色と異なる色の領域として当該重畳用画像Ｔの表示位置を決定する。即ち、判定部２ｂによる判定にて、類似度が所定値以上でないと判定されると、候補位置に表示された重畳用画像Ｔを識別し易いことから、第１決定部２ｃは、当該候補位置を重畳用画像Ｔの表示位置として決定する。
【００３５】
一方、判定部２ｂによる判定にて、類似度が所定値以上であると判定されると、候補位置に表示された重畳用画像Ｔを未だ識別し難いことから、第１決定部２ｃの候補決定部ｃ１は、重畳用画像Ｔの中心部を所定方向に所定の距離移動させるようにして所定の表示画像Ｇにおける当該重畳用画像Ｔの表示位置の候補位置を再度決定する。具体的には、候補決定部ｃ１は、重畳用画像Ｔの中心部（中心座標）を前回と同じ方向に所定画素数分だけ移動させて当該重畳用画像Ｔの表示位置の候補位置を決定する。
ここで、重畳用画像Ｔの移動距離は、１画素であっても良いし、計算時間の短縮化のため、重畳用画像Ｔの中心部と移動方向側の端部との間の画素数分（例えば、左右幅が200画素の重畳用画像Ｔにあっては100画素分等）としたり、重畳用画像Ｔの中心部と移動方向側の端部との間の画素数の所定の割合（例えば、1/4等）であっても良い。また、例えば、重畳用画像Ｔを重畳基準位置から右方向に移動させていき、当該重畳用画像Ｔの右端が表示画像の右端と接触した場合は、表示画像の中心方向（例えば、重畳用画像Ｔが表示画像の下部に位置する場合には上方向、反対に、上部に位置する場合には下方向等）に向かって移動させるようにしても良い。この場合にも、重畳用画像Ｔの移動距離は、上記と同様に、１画素であっても良いし、計算時間の短縮化のため、重畳用画像Ｔの中心部（中心座標）と移動方向側の端部との間の画素数分（例えば、上下幅が40画素の重畳用画像Ｔにあっては20画素分等）としたり、重畳用画像Ｔの中心部と移動方向側の端部との間の画素数の所定の割合（例えば、1/4等）であっても良い。
その後、上記と同様に、第１算出部２ａによる類似度の算出、及び、判定部２ｂによる類似度の判定が行われる。
上記の処理は、判定部２ｂによる判定にて、類似度が所定値以上でないと判定されるまで行われる。
このように、第１決定部２ｃは、候補決定部ｃ１により決定された重畳用画像Ｔの表示位置の候補位置のうち、判定部２ｂにより類似度が所定値以上でないと判定される候補位置を、所定の表示画像Ｇにおける重畳用画像Ｔの色と異なる色の領域として当該重畳用画像Ｔの表示位置に決定する。
【００３６】
なお、第１決定部２ｃは、候補決定部ｃ１により決定された重畳用画像Ｔの表示位置の候補位置の中から、重畳用画像Ｔの表示位置を決定するようにしたが、重畳用画像Ｔの表示位置の決定方法は一例であってこれに限られるものではなく、適宜任意に変更可能である。即ち、所定の表示画像Ｇにおける重畳用画像Ｔの色と異なる色の領域を特定し、当該領域に重畳用画像Ｔの表示位置を決定することができる方法であれば如何なる方法であっても良い。
ここで、第１決定部２ｃは、所定の画像における重畳用画像Ｔの色と異なる色の領域に、当該重畳用画像Ｔの表示位置を決定する決定手段を構成している。
【００３７】
計時部３は、例えば、図示は省略するが、タイマや計時回路等を備えて構成され、現在の時刻を計時して時刻情報を取得する。また、計時部３は、取得した時刻情報に基づいて、日付や曜日等の暦を特定して暦情報を取得しても良い。
そして、計時部３は、取得した時刻情報や暦情報をメモリ４に出力する。
【００３８】
メモリ４は、例えば、ＤＲＡＭ（Dynamic Random Access Memory）等により構成され、重畳位置決定部２、計時部３、中央制御部８等によって処理されるデータ等を一時的に記憶する。
【００３９】
表示画像記録部５は、表示部１の表示パネル１ａに表示される静止画像や動画像の画像データを記録するものであり、所定の圧縮形式で符号化された静止画像データや複数の画像フレームからなる動画像データを記録する。また、静止画像の画像サイズとしては、例えば、縦×横の画素数が縦：3000×横：4000（画素）程度に構成されたものが挙げられるが、一例であってこれに限られるものではなく、適宜任意に変更可能である。また、動画像の各画像フレームのサイズとしては、例えば、縦×横の画素数が縦：480×横：640（画素）程度に構成されたものが挙げられるが、一例であってこれに限られるものではなく、適宜任意に変更可能である。
なお、表示画像記録部５は、例えば、不揮発性メモリ（フラッシュメモリ）等により構成されているが、一例であってこれらに限られるものではない。
【００４０】
重畳用画像記録部６は、各種の重畳用画像Ｔの画像データを記録するものである。
ここで、重畳用画像Ｔとは、表示部１の表示パネル１ａの表示画面に表示される所定の静止画像や動画像等に重畳して表示される画像である。また、重畳用画像Ｔの画像サイズとしては、例えば、縦×横の画素数が縦：40×横：200（画素）程度に構成されたものが挙げられるが、一例であってこれに限られるものではなく、適宜任意に変更可能である。
また、重畳用画像Ｔの種類としては、例えば、現在の時刻などを表示する時計表示画像や、現在や将来の天気や温度など（天候や気候も含んでも良い）を表示する天気予報表示画像や、メモ書きを付箋紙のように表示する付箋表示画像等が挙げられるが、一例であってこれに限られるものではなく、適宜任意に変更可能である。
【００４１】
なお、時計表示画像は、例えば、所定のフォントの文字、数字、記号等の経時的に変化する時計の表示に用いられる画像データから構成されている。そして、計時部３により取得された時刻情報や暦情報に従って、重畳用画像記録部６から現在の時刻や日付や曜日等に対応する画像データが適宜読み出されて表示制御部１ｂに出力される。ここで、時計表示画像は、例えば、現在の時刻や日付や曜日等の情報表示にのみ用いられる文字、数字、記号等の画像データから構成されたものであっても良いし、当該情報表示を囲む枠画像（例えば、略矩形状や長円形状等の画像）や当該枠画像内に表される所定の背景画像を含む画像であっても良い。
また、天気予報表示画像は、時計表示画像と同様に、例えば、所定のフォントの文字、数字、記号、状態表示用（例えば、「晴れ」や「雨」など）のマーク等の経時的に変化する天気の表示に用いられる画像データから構成されている。そして、図示しない天気情報取得部により取得された天気情報に従って、重畳用画像記録部６から現在や将来の天気や温度等に対応する画像データが適宜読み出されて表示制御部１ｂに出力される。
また、付箋表示画像は、例えば、予めユーザによる当該画像表示装置１００や外部機器等の所定操作に基づいて作成されたものであっても良いし、暦情報に従って自動的に生成される現在の日付に対応する記念日や出来事などの報知に関するデータであっても良い。
【００４２】
なお、重畳用画像記録部６は、例えば、不揮発性メモリ（フラッシュメモリ）等により構成されているが、一例であってこれらに限られるものではない。
【００４３】
操作入力部７は、例えば、数値、文字等を入力するためのデータ入力キーや、データの選択、送り操作等を行うための上下左右移動キーや各種機能キー等によって構成される操作部を備え、これらの操作部の操作に応じて所定の操作信号を中央制御部８に出力する。
【００４４】
また、操作入力部７は、ユーザによる所定操作に基づいて、重畳用画像記録部６に記録されている各種の重畳用画像Ｔの中から選択された所望の重畳用画像Ｔの指定信号を中央制御部８に出力する。
中央制御部８は、入力された指定信号に対応する重畳用画像Ｔを、表示部１の表示画面に表示される所定の画像の所定の重畳基準位置に重畳して表示されるべき重畳用画像Ｔとして指定する。
【００４５】
中央制御部８は、画像表示装置１００の各部を制御するものである。具体的には、中央制御部８は、図示は省略するが、ＣＰＵ（Central Processing Unit）、ＲＡＭ（Random Access Memory）、ＲＯＭ（Read Only Memory）を備え、画像表示装置１００用の各種処理プログラム（図示略）に従って各種の制御動作を行う。
【００４６】
次に、画像表示処理について図２及び図３を参照して説明する。
図２は、画像表示装置１００による画像表示処理に係る動作の一例を示すフローチャートである。また、図３は、画像表示処理における重畳位置決定処理に係る動作の一例を示すフローチャートである。
以下に示す画像表示処理にあっては、重畳用画像Ｔとして黒色の時計表示画像を用いるものとする。
【００４７】
図２に示すように、先ず、ユーザによる操作入力部７の所定操作に基づいて、表示画像記録部５に記録されている複数の表示画像の画像データの中から所望の表示画像が選択されると、操作入力部７は、当該表示画像の指定信号を中央制御部８に出力する。中央制御部８は、操作入力部７から出力され入力された指定信号に対応する表示画像を、表示部１の表示画面に表示される表示画像として指定する（ステップＳ１）。
【００４８】
続けて、ユーザによる操作入力部７の所定操作に基づいて、重畳用画像記録部６に記録されている複数の重畳用画像Ｔ、…の画像データの中から所望の時計表示画像が重畳用画像Ｔ（図５（ａ）等参照）として選択されると、操作入力部７は、当該重畳用画像Ｔの指定信号を中央制御部８に出力する。中央制御部８は、操作入力部７から出力され入力された指定信号に対応する重畳用画像Ｔを、表示部１の表示画面に表示される所定の表示画像Ｇの所定の重畳基準位置に重畳して表示される重畳用画像Ｔとして指定する（ステップＳ２）。
【００４９】
次に、中央制御部８は、重畳位置決定部２に、所定の表示画像Ｇにおける重畳用画像Ｔの表示位置を決定させる重畳位置決定処理（図３参照；後述）を実行させる（ステップＳ３）。
その後、表示部１の表示制御部１ｂは、表示画像の画像データ及び重畳用画像Ｔの画像データをそれぞれ取得して、表示パネル１ａの表示画面に所定の表示画像Ｇを表示させるとともに、当該所定の表示画像Ｇにおける重畳位置決定処理により決定された重畳位置に重畳用画像Ｔを重畳して表示させる（ステップＳ４）。
これにより、画像表示処理を終了する。
【００５０】
以下に、重畳位置決定処理について図３を参照して説明する。
図３に示すように、先ず、第１算出部２ａの画素値算出部ａ１は、画像表示処理のステップＳ２にて指定された重畳用画像Ｔ（例えば、時計表示画像等）の画像データを重畳用画像記録部６から取得し、当該画像データに基づいて重畳用画像Ｔの外縁部を構成する各画素Eaの輝度値を算出する（ステップＳ１１）。
ここで、重畳用画像Ｔとして、例えば、時計表示画像の画像データを取得する場合、画素値算出部ａ１は、計時部３により取得された時刻情報や暦情報に従って、現在の時刻や日付や曜日等に対応する画像データを重畳用画像記録部６から読み出して取得する。
【００５１】
続けて、画素値算出部ａ１は、画像表示処理のステップＳ１にて指定された所定の表示画像Ｇの画像データを表示画像記録部５から取得し、当該画像データ及び重畳用画像Ｔの画像データに基づいて、所定の表示画像Ｇにおける所定の重畳基準位置に重畳して表示される重畳用画像Ｔとの境目部、即ち、重畳用画像Ｔの外縁部を構成する各画素Eaと隣接する部分の各画素Ebの輝度値を算出する（ステップＳ１２）。
【００５２】
次に、第１算出部２ａは、重畳用画像Ｔの外縁部を構成する各画素Eaの輝度値と、所定の表示画像Ｇの所定の重畳基準位置に表示される当該重畳用画像Ｔとの境目部の各画素Ebの輝度値との類似度を算出する（ステップＳ１３）。具体的には、第１算出部２ａの類似画素特定部ａ２は、例えば、所定の表示画像Ｇにおける重畳用画像Ｔとの境目部の各画素Ebについて、その輝度値と隣接する重畳用画像Ｔの外縁部を構成する画素Eaの輝度値とを比較し、これらの画素Ea,Ebの輝度値の差が所定範囲内の画素Ebを、同輝度の画素として特定する。そして、第１算出部２ａは、所定の表示画像Ｇにおける所定の重畳基準位置に表示される重畳用画像Ｔとの境目部の画素Ebの総数L、及び、類似画素特定部ａ２により特定された同輝度の画素の数mをそれぞれ算出し、境目部の画素Ebの総数Lにおける同輝度の画素の数mの割合m/Lを類似度として算出する。
【００５３】
続けて、判定部２ｂは、第１算出部２ａにより算出された類似度、即ち、所定の表示画像Ｇにおける重畳用画像Ｔとの境目部の画素Ebの総数Lのうち、類似画素特定部ａ２により特定された同輝度の画素の数mの割合m/Lが、所定値（例えば、０．２等）以上であるか否かを判定する（ステップＳ１４）。
ここで、類似度が所定値以上でない（所定値未満である）と判定されると（ステップＳ１４；ＮＯ）、第１決定部２ｃは、所定の表示画像Ｇにおける所定の重畳基準位置を重畳用画像Ｔの表示位置として決定して（ステップＳ１５）、当該重畳位置決定処理を終了する。
【００５４】
一方、ステップＳ１４にて、類似度が所定値以上である（所定値未満でない）と判定されると（ステップＳ１４；ＹＥＳ）、第１決定部２ｃは、所定の表示画像Ｇにおける重畳用画像Ｔの表示位置を変更する（ステップＳ１６）。具体的には、第１決定部２ｃの候補決定部ｃ１は、重畳用画像Ｔの中心部を所定方向に所定の距離移動させるようにして所定の表示画像Ｇにおける当該重畳用画像Ｔの表示位置の候補位置を決定する。即ち、候補決定部ｃ１は、所定の表示画像Ｇを重畳用画像Ｔの外縁部を構成する画素Eaの輝度値の平均値と同輝度と判断される類似領域と、それ以外の非類似領域とに分けた後、重畳用画像Ｔの中心部（中心座標）を重畳基準位置から所定方向（例えば、右方向等）に移動させていき、重畳用画像Ｔの中心部が非類似領域に入ったところを当該重畳用画像Ｔの表示位置の候補位置とする。
【００５５】
その後、処理をステップＳ１３に移行して、第１算出部２ａは、重畳用画像Ｔの外縁部の色と、所定の表示画像Ｇにおける候補決定部ｃ１により決定された表示位置の候補位置に表示される重畳用画像Ｔとの境目部の色との類似度を再度算出する（ステップＳ１３）。なお、類似度としては、上述したように、例えば、境目部の画素Ebの総数Lにおける同輝度の画素の数mの割合m/Lを用いるものとする。
続けて、判定部２ｂは、上述したように、第１算出部２ａにより再度算出された類似度が所定値以上であるか否かを判定する（ステップＳ１４）。具体的には、判定部２ｂは、第１算出部２ａにより算出された類似度、即ち、所定の表示画像Ｇにおける重畳用画像Ｔとの境目部の画素Ebの総数Lのうち、類似画素特定部ａ２により特定された同輝度の画素の数mの割合m/Lが、所定値（例えば、０．２等）以上であるか否かを判定する。
ここで、類似度が所定値以上でない（所定値未満である）と判定されると（ステップＳ１４；ＮＯ）、候補位置に表示された重畳用画像Ｔを識別し易いことから、第１決定部２ｃは、当該候補位置を重畳用画像Ｔの表示位置として決定して（ステップＳ１５）、当該重畳位置決定処理を終了する。一方、類似度が所定値以上である（所定値未満でない）と判定されると（ステップＳ１４；ＹＥＳ）、候補位置に表示された重畳用画像Ｔを未だ識別し難いことから、第１決定部２ｃは、所定の表示画像Ｇにおける重畳用画像Ｔの表示位置を変更した後（ステップＳ１６）、処理をステップＳ１３に移行する。
【００５６】
上記の処理を、ステップＳ１４にて、類似度が所定値以上でない（所定値未満である）と判定されるまで実行することで（ステップＳ１４；ＹＥＳ）、所定の表示画像Ｇにおける重畳用画像Ｔを識別し易い表示位置を決定する。
これにより、図４（ｂ）に示すように、所定の表示画像Ｇにおける重畳用画像Ｔの色と異なる色の領域、即ち、黒色の時計表示画像（重畳用画像Ｔ）が当該重畳用画像Ｔの色と類似する暗闇の部分に重畳表示されるのではなく、重畳用画像Ｔの色と異なる「ライトアップされたタワー」の部分に重畳されて表示部１に表示された状態となる。なお、図４（ｂ）にあっては、重畳基準位置に表示される場合、即ち、新たな表示位置が決定される前の重畳用画像Ｔを波線で模式的に表している。
【００５７】
以上のように、本実施形態の画像表示装置１００によれば、所定の表示画像Ｇにおける重畳用画像Ｔの色と異なる色の領域に、重畳用画像Ｔ（例えば、時計表示画像等）を重畳して表示させることができ、所定の表示画像Ｇに重畳用画像Ｔが紛れてしまい当該重畳用画像Ｔの視認性が低下することを抑制することができる。例えば、重畳用画像Ｔを構成する画素の輝度値と、所定の表示画像Ｇに重畳表示される当該重畳用画像Ｔの背景領域の画素の輝度値との差が小さい場合などのように、重畳用画像Ｔの色と所定の表示画像Ｇに重畳表示された当該重畳用画像Ｔの背景領域の色とが同系色であると、所定の表示画像Ｇにおける重畳用画像Ｔの表示位置にて当該重畳用画像Ｔがその背景領域に紛れてしまい重畳用画像Ｔの視認性が低下することとなる。しかしながら、所定の画像における重畳用画像Ｔの色と異なる色の領域に重畳用画像Ｔを表示させることで、重畳用画像Ｔを所定の表示画像Ｇにおける当該重畳用画像Ｔの背景領域から目立たせることができ、所定の表示画像Ｇ内での当該重畳用画像Ｔの視認性の低下を抑制することができる。
【００５８】
具体的には、重畳用画像Ｔの色と、所定の表示画像Ｇの所定の重畳基準位置に重畳して表示される重畳用画像Ｔとの境目部の色との類似度を算出し、この類似度が所定値以上であると判定された場合に、所定の表示画像Ｇにおける重畳用画像Ｔの色と異なる色の領域に、当該重畳用画像Ｔの表示位置を決定するので、所定の表示画像Ｇにて重畳用画像Ｔの重畳基準位置が予め決められている場合であっても、所定の表示画像Ｇにおける重畳用画像Ｔの色と異なる色の領域に、重畳用画像Ｔを重畳して表示させることができ、所定の表示画像Ｇに重畳用画像Ｔが紛れてしまい当該重畳用画像Ｔの視認性が低下することを抑制することができる。
特に、複数の表示画像を所定の間隔で切り替えて表示させるスライドショー再生表示や、複数の画像フレームを所定の再生フレームレートで切り替える動画像の再生表示にて、最初の表示画像（動画像における画像フレーム）にて、重畳用画像Ｔの視認性の良い位置を重畳基準位置として重畳用画像Ｔを重畳表示させても、次の表示画像（画像フレーム）では、所定の表示画像Ｇにおける重畳基準位置に表示された重畳用画像Ｔの色が重畳用画像Ｔの色と同系色となってしまい、重畳用画像Ｔの視認性が低下する虞がある。しかしながら、現に再生表示される所定の表示画像Ｇ（画像フレーム）にて、重畳用画像Ｔの色と異なる色の領域に当該重畳用画像Ｔの表示位置を順次決定していくことで、スライドショー再生表示や動画像の再生表示であっても重畳用画像Ｔの視認性の低下を連続的に抑制することができる。
【００５９】
また、重畳用画像Ｔの縁部の各画素Eaの輝度値と、所定の表示画像Ｇの所定の重畳基準位置に表示される当該重畳用画像Ｔとの境目部の各画素Ebの輝度値との類似度を算出するので、重畳用画像Ｔの外縁部の色と、所定の表示画像Ｇの所定の重畳基準位置に重畳して表示される重畳用画像Ｔとの境目部の色との類似度の算出を各画素Ea,Ebの輝度値に基づいて適正に行うことができる。
さらに、所定の表示画像Ｇの所定の重畳基準位置に表示される重畳用画像Ｔとの境目部の各画素Ebのうち、隣接する重畳用画像Ｔの外縁部を構成する各画素Eaの輝度値と類似する輝度値を有する画素の割合を、類似度として算出するので、所定の表示画像Ｇにおける所定の重畳基準位置に表示される重畳用画像Ｔとの境目部の複数の画素Eb、…を全体的に考慮して類似度を算出することができ、重畳用画像Ｔの表示位置となる所定の表示画像Ｇにおける重畳用画像Ｔの外縁部の色と異なる色の領域の特定を適正に行うことができる。
【００６０】
また、重畳用画像Ｔの中心部を所定の重畳基準位置から所定方向に所定の距離移動させるようにして所定の表示画像Ｇにおける当該重畳用画像Ｔの表示位置の候補位置を決定し、重畳用画像Ｔの表示位置の候補位置の中から、所定の表示画像Ｇにおける重畳用画像Ｔの表示位置を決定するので、重畳用画像Ｔの表示位置の決定に際して、重畳用画像Ｔの重畳基準位置からの移動距離をできる限り少なくすることができ、重畳用画像Ｔの表示位置が大きく変化することを防止することができる。これにより、重畳用画像Ｔの表示位置が変化したことによりユーザに生じる違和感を軽減させることができる。
さらに、重畳用画像Ｔの表示位置の候補位置の決定に際して、所定の表示画像Ｇにおける重畳用画像Ｔの代表色（例えば、縁部の色等）と異なる色の領域に当該重畳用画像Ｔの中心部が存するように、当該重畳用画像Ｔの表示位置の候補位置を決定するので、重畳用画像Ｔの表示位置の決定に係る処理速度の向上を図ることができる。即ち、重畳用画像Ｔの大きさは所定の表示画像Ｇ全体に対して小さいため、所定の表示画像Ｇにおける重畳用画像Ｔの代表色と異なる色の領域に重畳用画像Ｔの中心部が存するように当該重畳用画像Ｔを配置するだけで、重畳用画像Ｔ全体を所定の表示画像Ｇにおける重畳用画像Ｔの代表色と異なる色の領域に配置させることができる場合がある。これにより、重畳用画像Ｔの表示位置の候補位置を再度決定する必要がなくなり、重畳用画像Ｔの表示位置の決定を迅速に行うことができる。
【００６１】
また、重畳用画像Ｔの表示位置の候補位置が決定されると、重畳用画像Ｔの色と、所定の表示画像Ｇにおける候補位置に表示される重畳用画像Ｔとの境目部の色との類似度を算出し、重畳用画像Ｔの表示位置の候補位置のうち、類似度が所定値以上でないと判定される候補位置を、所定の表示画像Ｇにおける重畳用画像Ｔの色と異なる色の領域として当該重畳用画像Ｔの表示位置を決定するので、重畳用画像Ｔの表示位置である、所定の表示画像Ｇにおける重畳用画像Ｔの色と異なる色の領域の決定を、重畳用画像Ｔの表示位置の候補位置の中から適正に行うことができる。
【００６２】
なお、本発明は、上記実施形態に限定されることなく、本発明の趣旨を逸脱しない範囲において、種々の改良並びに設計の変更を行っても良い。
以下に、画像表示装置１００の変形例について図６〜図８を参照して説明する。
【００６３】
＜変形例１＞
変形例１の画像表示装置２００は、所定の表示画像Ｇの各画素について、中央制御部８により指定された重畳用画像Ｔの色と類似しない画素を特定し、所定の表示画像Ｇにおける重畳用画像Ｔの色と類似しない複数の画素によって連続して形成される複数の領域のうち、最大の面積を有する領域に、重畳用画像Ｔの表示位置を決定する。
なお、変形例１の画像表示装置２００にあっては、以下に説明する以外の構成は上記実施形態の画像表示装置１００と略同様であり、その詳細な説明は省略する。
【００６４】
図６は、変形例１の画像表示装置２００の概略構成を示すブロック図である。
図６に示すように、変形例１の画像表示装置２００は、重畳位置決定部２に、第２算出部２ｄと、非類似画素特定部２ｅと、第２決定部２ｆとを具備している。
【００６５】
第２算出部２ｄは、上記実施形態の第１算出部２ａと同様に、画素値算出部ａ１を具備している。
画素値算出部ａ１は、上記実施形態と同様に、ユーザによる操作入力部７の所定操作に基づいて中央制御部８により指定された重畳用画像Ｔ（例えば、時計表示画像等）の画像データを重畳用画像記録部６から取得し、当該画像データに基づいて重畳用画像Ｔを構成する各画素の輝度値を算出する。
また、画素値算出部ａ１は、ユーザによる操作入力部７の所定操作に基づいて中央制御部８により指定された所定の表示画像Ｇの画像データを表示画像記録部５から取得し、当該画像データに基づいて所定の表示画像Ｇの各画素の輝度値を算出する。
【００６６】
非類似画素特定部２ｅは、所定の画像の各画素について、重畳用画像Ｔの色と類似しない画素を特定する。
即ち、非類似画素特定部２ｅは、所定の表示画像Ｇの各画素について、重畳用画像Ｔの外縁部を構成する画素Eaの輝度値と類似しない輝度値を有する画素を特定する。具体的には、非類似画素特定部２ｅは、例えば、画素値算出部ａ１により算出された重畳用画像Ｔの外縁部を構成する各画素の輝度値に基づいて、その平均値を算出する。そして、非類似画素特定部２ｅは、例えば、所定の表示画像Ｇの各画素について、その輝度値と重畳用画像Ｔの外縁部を構成する画素Eaの輝度値の平均値とを比較する。続けて、非類似画素特定部２ｅは、所定の表示画像Ｇの各画素のうち、前記平均値に対する輝度値の差が所定範囲外の画素を、異なる輝度の画素、即ち、重畳用画像Ｔの色と非類似の画素として特定する。一方、非類似画素特定部２ｅは、所定の表示画像Ｇの各画素のうち、前記平均値に対する輝度値の差が所定範囲内の画素を、同輝度の画素、即ち、重畳用画像Ｔの色と類似する画素として特定する。
【００６７】
なお、所定の表示画像Ｇにおける重畳用画像Ｔの外縁部の色と類似しない画素の特定に、例えば、輝度値を用いるようにしたが、一例であってこれに限られるものではなく、重畳用画像Ｔの外縁部の色との類似度（相違度）を定量的に算出可能なものであれば適宜任意に変更可能である。また、重畳用画像Ｔの色の特定には、重畳用画像Ｔの外縁部の各画素の輝度値の代わりに、当該重畳用画像Ｔを構成する各画素の輝度値の平均値を用いても良い。
ここで、非類似画素特定部２ｅは、所定の画像の各画素について、中央制御部８により指定された重畳用画像Ｔの色と類似しない画素を特定する特定手段を構成している。
【００６８】
第２決定部２ｆは、所定の表示画像Ｇにおける重畳用画像Ｔの色と類似しない複数の画素によって連続して形成される最大の面積を有する連続領域に、重畳用画像Ｔの表示位置を決定する。
即ち、第２決定部２ｆは、非類似画素特定部２ｅによる所定の表示画像Ｇにおける重畳用画像Ｔの外縁部の色と類似しない画素の特定結果に基づいて、重畳用画像Ｔの外縁部の色と非類似の複数の画素が隣り合って配置されることにより形成された連続領域Ｒ１を複数特定する。そして、第２決定部２ｆは、特定された複数の連続領域Ｒ１の中で、最大の面積を有する連続領域R1maxの所定位置を重畳用画像Ｔの表示位置として決定する。例えば、図８（ａ）に示すように、所定の表示画像Ｇとして、夜景の画像を例示すると、「月」や「ライトアップされているタワー」の部分は、輝度が高いため、黒色の重畳用画像Ｔの色と非類似の画素からなり、当該画素により形成された連続領域Ｒ１を模式的にドットなし（白抜き）の領域Ｒ１として表す。一方、「月」や「ライトアップされているタワー」以外の暗闇の部分は、輝度が低いため、黒色の重畳用画像Ｔの色と類似する画素からなり、当該画素により形成された連続領域Ｒ２を模式的にドットありの領域Ｒ２として表す。
そして、「月」や「ライトアップされているタワー」の部分は、共に重畳用画像Ｔの色と非類似の画素からなる領域Ｒ１として特定されるが、これらのうち、「ライトアップされているタワー」の領域Ｒ１が最大の面積を有することから、当該領域Ｒ１が最大の面積を有する連続領域R1maxとなる。
ここで、最大の面積を有する連続領域R1maxが重畳用画像Ｔの大きさに対して大きい場合には、第２決定部２ｆは、当該最大の面積を有する連続領域R1max内で表示画像の中心からできる限り離れるように重畳用画像Ｔの表示位置を決定するようにしても良い。さらに、第２決定部２ｆは、表示画像内から主要被写体の特徴領域（例えば、人の顔等）を検出する特徴検出処理を行って、当該主要被写体の特徴領域からできる限り離れるように重畳用画像Ｔの表示位置を決定するようにしても良い。
なお、特徴検出処理としては、例えば、顔検出処理やエッジ検出処理等が用いられるが、これらの処理は公知の技術であるので、ここでは詳細な説明を省略する。
【００６９】
また、第２決定部２ｆは、所定の表示画像Ｇにおける重畳用画像Ｔの色と類似しない複数の画素によって連続して形成される連続領域を複数特定するようにしたが、当該連続領域を必ずしも複数特定する必要はなく、少なくとも一つ特定すれば良い。
このように、第２決定部２ｆは、決定手段として、非類似画素特定部２ｅにより特定された所定の表示画像Ｇにおける重畳用画像Ｔの色と類似しない複数の画素によって連続して形成される少なくとも一の複数の領域Ｒ１のうち、最大の面積を有する領域R1maxに、重畳用画像Ｔの表示位置を決定する。
【００７０】
次に、重畳位置決定処理について図７を参照して説明する。
図７は、画像表示処理における重畳位置決定処理に係る動作の一例を示すフローチャートである。
なお、変形例１の画像表示装置２００による画像表示処理は、以下に説明する重畳位置決定処理以外の処理は上記実施形態の画像表示装置１００における画像表示処理と略同様であり、その詳細な説明は省略する。
【００７１】
図７に示すように、先ず、第２算出部２ｄの画素値算出部ａ１は、上記実施形態の重畳位置決定処理と同様に、画像表示処理のステップＳ２にて指定された重畳用画像Ｔ（例えば、時計表示画像等）の画像データを重畳用画像記録部６から取得し、当該画像データに基づいて重畳用画像Ｔの外縁部を構成する各画素Eaの輝度値を算出する（ステップＳ１１）。
続けて、画素値算出部ａ１は、画像表示処理のステップＳ１にて指定された所定の表示画像Ｇの画像データを表示画像記録部５から取得し、当該画像データに基づいて所定の表示画像Ｇの各画素の輝度値を算出する（ステップＳ３２）。
【００７２】
次に、非類似画素特定部２ｅは、所定の表示画像Ｇの各画素について、重畳用画像Ｔの外縁部を構成する画素Eaの輝度値と類似しない輝度値を有する画素を特定する（ステップＳ３３）。
具体的には、非類似画素特定部２ｅは、例えば、重畳用画像Ｔの外縁部を構成する各画素の輝度値の平均値を算出し、所定の表示画像Ｇの各画素について、その輝度値と重畳用画像Ｔの外縁部を構成する各画素Eaの輝度値の平均値とを比較する。そして、非類似画素特定部２ｅは、これらの画素の輝度値の差が所定範囲外の画素を、重畳用画像Ｔの外縁部の色と非類似の画素として特定する一方で、これらの画素の輝度値の差が所定範囲内の画素を重畳用画像Ｔの外縁部の色と類似する画素として特定する。
【００７３】
続けて、第２決定部２ｆは、非類似画素特定部２ｅによる所定の表示画像Ｇにおける重畳用画像Ｔの外縁部の色と類似しない画素の特定結果に基づいて、重畳用画像Ｔの外縁部の色と非類似の複数の画素により連続して形成された連続領域Ｒ１を複数特定する（ステップＳ３４）。そして、第２決定部２ｆは、特定された複数の連続領域Ｒ１の中で、最大の面積を有する連続領域R1maxの所定位置を重畳用画像Ｔの表示位置として決定して（ステップＳ３５）、当該重畳位置決定処理を終了する。
これにより、図８（ｂ）に示すように、所定の表示画像Ｇにおける、重畳用画像Ｔの外縁部の色と非類似の複数の画素により連続して形成された連続領域Ｒ１のうち、最大の面積を有する領域R1max（例えば、「ライトアップされているタワー」の部分の領域Ｒ１）に、重畳用画像Ｔが重畳されて表示部１に表示された状態となる。
【００７４】
従って、変形例１の画像表示装置２００によれば、所定の表示画像Ｇにおける重畳用画像Ｔの色と類似しない複数の画素によって連続して形成される複数の連続領域Ｒ１のうち、最大の面積を有する連続領域Ｒ１に、重畳用画像Ｔの表示位置を決定するので、上記実施形態と同様に、所定の表示画像Ｇに重畳用画像Ｔが紛れてしまい当該重畳用画像Ｔの視認性が低下することを抑制することができるだけでなく、重畳用画像Ｔの表示位置の決定に係る処理速度の向上を図ることができる。即ち、所定の表示画像Ｇにおける重畳用画像Ｔの色と類似しない複数の画素によって連続して形成される複数の連続領域Ｒ１の中から、最大の面積を有する連続領域R1maxを特定するだけで、当該連続領域Ｒ１を重畳用画像Ｔの表示位置として決定することができ、重畳用画像Ｔの表示位置の決定を迅速に行うことができる。
【００７５】
また、上記実施形態及び変形例１にあっては、重畳用画像Ｔの縁部として主として外縁部を例示して説明したが、重畳用画像Ｔが内縁部を有する場合には、所定の表示画像Ｇにおける重畳用画像Ｔと外縁部の色と異なる色の領域で、且つ、重畳用画像Ｔと内縁部の色と異なる色の領域を特定して、当該領域に重畳用画像Ｔの表示位置を決定するようにしても良いし、所定の表示画像Ｇにおける重畳用画像Ｔと内縁部の色とのみ異なる色の領域を特定して、当該領域に重畳用画像Ｔの表示位置を決定するようにしても良い。
【００７６】
さらに、上記実施形態及び変形例１にあっては、スライドショー再生表示にて、表示画像を切り替える際に、例えば、フェードイン、フェードアウト、ワイプ等の切替エフェクトを実行しても良く、かかる場合に、切替エフェクトの実行態様を重畳用画像Ｔの表示位置を基準として変更しても良い。即ち、例えば、現に表示されている表示画像における重畳用画像Ｔの表示位置側から切替エフェクトの実行を開始したり、次に表示される予定の表示画像における重畳用画像Ｔの表示位置側が切替エフェクトの最後となるように切替エフェクトの実行態様を変更しても良い。これにより、重畳用画像Ｔの表示位置の決定にかかる時間を十分に確保することができるとともに、重畳用画像Ｔの表示位置が変化した場合でもユーザに生じる違和感を軽減させることができる。
【００７７】
また、上記実施形態及び変形例１にあっては、重畳用画像Ｔや表示画像を画像表示装置１００（２００）の内部に記録しておくようにしたが、当該画像表示装置１００の外部の所定の記録手段に記録しておき、この記録手段から所定の通信ケーブルや通信回線を介してこれらの画像を取得して表示させるようにしても良い。
【００７８】
さらに、上記実施形態及び変形例１にあっては、画素値として、輝度値を例示したが、これに限られるものではなく、各画素のＲＧＢ値に基づいて定量的に表現可能な値であれば如何なるものであっても良い。
【００７９】
加えて、上記実施形態にあっては、決定手段としての機能を、重畳位置決定部２の第１決定部２ｃ（第２決定部２ｆ）が駆動することにより実現される構成としたが、これに限られるものではなく、中央制御部８のＣＰＵによって所定のプログラム等が実行されることにより実現される構成としても良い。
即ち、プログラムを記憶するプログラムメモリ（図示略）に、決定処理ルーチンを含むプログラムを記憶しておく。そして、決定処理ルーチンにより中央制御部８のＣＰＵを、表示部１の表示画面に表示される所定の画像における、当該所定の画像に重畳して表示される重畳用画像Ｔの色と異なる色の領域に、重畳用画像Ｔの表示位置を決定する決定手段として機能させるようにしても良い。
【００８０】
同様に、算出手段、判定手段、候補決定手段、特定手段についても、中央制御部８のＣＰＵによって所定のプログラム等が実行されることにより実現される構成としても良い。
【００８１】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【符号の説明】
【００８２】
１００、２００  画像表示装置
１    表示部
２    重畳位置決定部
２ａ  第１算出部
２ｂ  判定部
２ｃ  第１決定部
２ｄ  第２算出部
２ｅ  非類似画素特定部
２ｆ  第２決定部
７    操作入力部
８    中央制御部
【図１】
0005768345.tif 000002
【図２】
0005768345.tif 000003
【図３】
0005768345.tif 000004
【図４】
0005768345.tif 000005
【図５】
0005768345.tif 000006
【図６】
0005768345.tif 000007
【図７】
0005768345.tif 000008
【図８】
0005768345.tif 000009